(57)【要約】  パッケージは本体を有するボトルを備え、本体はボトルの内部容積を形成する。ボトルはボトルの内部容積内まで延在する開口部を有する。パッケージはボトルの内部容積内まで延在するように構成された容器を備える。容器は、容器の内部容積を形成するチューブと、チューブ内まで延在する開口部と、容器をボトルに結合してボトルの内部容積内にチューブを吊すためのハンガーとを備える。パッケージは、ボトルと係合してボトルおよび容器の内部容積内への開口部を覆うように構成されたキャップを備える。キャップは、区画と、区画の内部容積内への開口部を塞ぐためのカバーと、を備える。ボトル、容器および区画の内部容積は、それぞれ、第１、第２、第３の添加剤成分をそれぞれ保持するように構成され、ボトル、容器および区画の内部容積は、これらが一緒に結合されているときに互いに対して流体的に隔離される。【選択図】  図２
2017514758.tif 000002
【特許請求の範囲】
【請求項１】
パッケージであって、
本体を有するボトルを備え、
前記本体は、前記ボトルの内部容積を形成し、
前記ボトルは、前記ボトルの前記内部容積内まで延在する開口部を有し、
前記パッケージは、さらに、前記ボトルの前記内部容積内まで延在するように構成された容器を備え、
前記容器は、前記容器の内部容積を形成するチューブと、前記チューブ内まで延在する開口部と、前記容器を前記ボトルに結合して前記ボトルの前記内部容積内に前記チューブを吊すためのハンガーと、を備え、
前記パッケージは、さらに、前記ボトルと係合して前記ボトルおよび前記容器の前記内部容積内への前記開口部を覆うように構成されたキャップを備え、
前記キャップは、区画と、該区画の内部容積内への開口部を塞ぐためのカバーと、を備え、
前記ボトルの前記内部容積は、第１の添加剤成分保持するように構成され、
前記容器の前記内部容積は、第２の添加剤成分を保持するように構成され、
前記区画の前記内部容積は、第３の添加剤成分を保持するように構成され、
前記ボトル、前記容器および前記区画の前記内部容積は、前記ボトル、前記容器および前記キャップが一緒に結合されているときに、互いに対して流体的に隔離される
パッケージ。
【請求項２】
請求項１に記載のパッケージであって、
前記ボトルは、さらに、ネック部を備え、
前記ネック部は、ショルダ部によって前記本体に結合されて、前記本体の外面の径方向内側に前記ネック部を離間させ、
前記ネック部は、前記本体の前記内部容積内への前記開口を形成する
パッケージ。
【請求項３】
請求項２に記載のパッケージであって、
前記チューブは、前記ボトルの前記ネック部の前記開口部を通って延在するように構成され、
前記ハンガーは、前記ネック部と結合されて、前記ボトルの前記内部容積内に前記チューブを吊すように構成される
パッケージ。
【請求項４】
請求項３に記載のパッケージであって、
前記ハンガーは、少なくとも１つの注ぎ口を備え、
前記少なくとも１つの注ぎ口は、該少なくとも１つの注ぎ口を通って前記ネック部の前記開口部内まで延在するように形成される
パッケージ。
【請求項５】
請求項４に記載のパッケージであって、
前記キャップは、前記ボトルの前記ネック部に結合されるとともに前記容器に係合して前記チューブの前記開口部および前記ネック部の前記開口部のまわりにシールを形成して前記ボトルの前記内部容積と前記容器の前記内部容積との間の流体的な隔離を提供するように構成される
パッケージ。
【請求項６】
請求項２に記載のパッケージであって、
前記キャップの外径は、前記ボトルの前記本体の外径と実質的に一致する
パッケージ。
【請求項７】
請求項６に記載のパッケージであって、
さらに、前記区画と前記カバーとの間に結合されるヒンジを備え、
前記ヒンジは、前記区画に対して前記カバーが回転することができるとともに前記区画上に前記カバーを保持することができるように位置決めされる
パッケージ。
【請求項８】
請求項１に記載のパッケージであって、
前記ハンガーは、少なくとも１つの注ぎ口を備え、
前記少なくとも１つの注ぎ口は、該少なくとも１つの注ぎ口を通って前記ボトルの前記開口部内まで延在するように形成される
パッケージ。
【請求項９】
パッケージの組み立て方法であって、
容器をボトル内に少なくとも部分的に挿入する工程を備え、
前記容器は、該容器の内部容積を形成するチューブを備え、
前記容器は、開口部と、前記チューブを支持するために前記チューブに結合されるハンガーと、を備えるように形成され、
前記ボトルは、本体と、該本体に結合されるネック部と、を備え、
前記方法は、さらに、
前記容器の前記ハンガーを前記ボトルの前記ネック部に結合する工程と、
前記チューブを覆うようにキャップを前記ボトルに結合する工程と
を備え、
前記キャップは、区画と、該区画の内部容積内への開口部を塞ぐためのカバーと、を備える
方法。
【請求項１０】
請求項９に記載の方法であって、
前記ボトル、前記容器および前記区画の前記内部容積は、前記ボトル、前記容器および前記キャップが一緒に結合されているときに、互いに対して流体的に隔離される
方法。
【請求項１１】
請求項１０に記載の方法であって、
さらに、前記容器を前記ボトル内に少なくとも部分的に挿入する前に、前記ボトルを添加剤成分で満たす工程を備える
方法。
【請求項１２】
請求項１０に記載の方法であって、
さらに、前記容器を前記ボトルに結合した後に、前記ボトルを第１の添加剤成分で満たすと同時に前記チューブを第２の添加剤成分で満たす工程を備える
方法。
【請求項１３】
請求項１０に記載の方法であって、
さらに、前記容器を前記ボトル内に少なくとも部分的に挿入した後に、前記ボトルを添加剤成分を満たす工程を備える
方法。
【請求項１４】
請求項１０に記載の方法であって、
さらに、前記キャップを前記ボトルに結合する前に、前記区画を添加剤成分で満たす工程を備える
方法。
【請求項１５】
請求項１０に記載の方法であって、
さらに、前記キャップを前記ボトルに結合した後に、前記区画を添加剤成分で満たす工程を備える
方法。
【発明の詳細な説明】
【技術分野】
【０００１】
［0001］本願は、２０１４年４月１５日に出願された米国仮特許出願第６１／９７９，８９７号の利益および優先権を主張するものであり、当該出願は、その全体が参照によって本明細書に組み入れられる。
【背景技術】
【０００２】
［0002］本開示は容器に関する。より詳細には、本開示は、自動車の冷却液および他のシステムとともに使用される化学添加剤用のボトルおよび貯蔵容器に関する。
【発明の概要】
【課題を解決するための手段】
【０００３】
［0003］本願は、添付の特許請求の範囲に記載された１つ以上の特徴、および／または、以下の特徴を開示しており、これらは、単独で、または、任意の組み合わせで、特許可能な主題を含むことができる。
【０００４】
［0004］例示的な実施形態では、化学添加剤パッケージは、ボトルを備えている。ボトルは、ボトルの内部容積を形成する本体と、内部容積内まで延在する開口と、を備えている。ボトルは、第１の添加剤を貯蔵するように構成される。また、パッケージは、ボトルの内部容積内まで延在するように構成された容器を備えている。この容器は、容器の内部容積を形成するチューブを備えている。さらに、容器は、チューブ内まで延在する開口と、容器をボトルに結合して、ボトルの内部容積内にチューブを吊すためのハンガーと、を備えている。容器は、第２の添加剤を貯蔵するように構成される。
【０００５】
［0005］例示的な実施形態では、化学添加剤パッケージは、キャップを備えている。キャップは、ボトルに係合してボトルに固定されて、ボトルおよび容器の内部容積内への開口を覆うと共にシールするように構成される。パッケージのキャップは、第３の添加剤を貯蔵するための区画と、区画の内部容積内への開口を閉じるためのカバーと、を備えている。ボトル、容器および区画の内部容積は、ボトル、容器およびキャップが一緒に結合されたときに、互いに対して流体的に隔離されている。
【０００６】
［0006］本開示のこれらおよび他の特徴が、例示的な実施形態の次の説明からいっそう明らかになるであろう。
【０００７】
［0007］詳細な説明は、特に、次に示す添付図面に言及している。
【図面の簡単な説明】
【０００８】
【図１】［0008］本開示にしたがった化学製品添加剤パッケージの一実施形態の斜視図であり、パッケージが、円筒状ボトルと、ボトルの内部容積内で吊すためにボトルに結合される容器と、容器を覆うようにボトルに結合されるキャップと、を備えていることを示している。
【図２】［0009］図１のパッケージの断面図であり、ボトルが第１の添加剤成分を保持するように構成されること、容器が第１の添加剤成分から分離されている第２の添加剤成分を保持するように構成されること、および、キャップが、第１および第２の添加剤成分から分離されている第３の添加剤成分を保持するように構成された区画を備えていることを示唆している。
【図３】［0010］図２のパッケージの断面分解組立図であり、パッケージが、さらに、キャップと容器との間に位置決めされたシールディスクを備えていること、および、容器が、チューブと、ボトルのネック部に容器を接続するためにチューブに結合されるハンガーと、を備えていることを示しており、また、チューブがネック部の開口部を通ってボトル内に入ることを示唆している。
【図４】［0011］図３のボトルの断面図であり、ボトルのネック部が、キャップのネジ部と係合するためのネジ部を備えていることを示しており、また、キャップがネック部にネジ取り付けされて、容器を覆うとともにボトルの内部容積を取り囲むことができることを示唆している。
【図５】［0012］図３のキャップの断面図であり、キャップが、円筒状スカートと、ボトルのネック部にキャップを結合するためのネジ付コネクタと、キャップがボトルに結合されたときにネック部の開口および容器を覆うように位置決めされる底部壁と、底部壁に接続されて区画の内部容積を形成する環状側壁と、区画の内部容積内への開口部を覆うために環状側壁に結合された押上式閉鎖体と、を備えていることを示している。
【図６】［0013］図３の容器の斜視図であり、ハンガーが、容器がボトルに取り付けられたときにボトルの内部容積内まで延在するように、複数の注ぎ口を備えるように形成されていることを示している。
【図７】［0014］図６の容器の部分断面図であり、ハンガーが、環状クリップと、チューブと環状クリップとの間に結合されるチューブホルダと、を備えていることを示しており、また、注ぎ口がチューブホルダを通って形成されていることを示唆している。
【図８】［0015］図３のボトルおよび容器の部分断面図であり、容器がボトルに結合されたときに、環状クリップがボトルのネック部に取り付けられ、チューブホルダがチューブを支持することを示しており、また、ボトル内の第１の添加剤成分と、チューブ内の第２の添加剤成分と、が同時に分注されてもよいことを示唆している。
【図９】［0016］図３のボトルおよび容器の部分断面図であり、容器がボトルに結合されて、ネック部の周縁部に沿ってボトルシールを形成し、ボトルの内容物が環状クリップを通ってボトルの外部に達することが防止されることを示している。
【図１０】［0017］図９と同様の部分断面図であり、容器を覆うようにキャップがボトルに結合され、シールディスクがキャップと容器との間に位置決めされて、開口部シールが形成され、ボトルの内容物が注ぎ口を通ってボトルの外部に達することが防止されるとともに、チューブシールが形成され、チューブの内容物がチューブから排出されてボトル内に入ること、または、ボトルの外部に達することが防止されることを示している。
【図１１】［0018］本開示にしたがった冷却液添加剤パッケージの第２実施形態の斜視図であり、パッケージが、第１の添加剤成分を保持するためのボトルと、ボトルをシールするための移行キャップと、第１の添加剤成分から分離されている第２の添加剤成分を保持するための区画であって、移行キャップと結合するように構成された区画と、を備えていることを示している。
【図１２】［0019］本開示にしたがった冷却液添加剤パッケージの第３実施形態の斜視図であり、パッケージが、第１の添加剤成分を保持するためのボトルと、第１の添加剤成分から分離されている第２の添加剤成分を保持するための容器と、ボトルおよび容器をシールするためのキャップと、を備えていることを示している。
【図１３】［0020］図１２のパッケージの上面図であり、容器が、複数の注ぎ口と、チューブホルダと、を備えていることを示しており、また、チューブホルダが容器のチューブをボトル内に保持し、注ぎ口によって、ボトル内の第１の添加剤成分とチューブ内の第２添加剤成分とが同時に分注され得ることを示唆している。
【図１４】［0021］本開示にしたがった冷却液添加剤パッケージの第４実施形態の斜視図であり、パッケージが、第１の添加剤成分を保持するためのボトルと、ボトルをシールするためのキャップと、第１の添加剤成分から分離されている第２の添加剤成分を保持するための区画であって、ボトルと結合するように構成された区画と、を備えていることを示している。
【図１５】［0022］本開示にしたがった冷却液添加剤パッケージの第５実施形態の斜視図であり、パッケージが、第１の添加剤成分を保持するための第１のボトルと、第２の添加剤成分を保持するための第２のボトルと、第１および第２のボトルをシールするとともに、第２のボトルに対して第１のボトルを保持するための移行キャップと、を備えていることを示している。
【発明を実施するための形態】
【０００９】
［0023］本開示の原理の理解を促進する目的で、図面に示された多数の例示的な実施形態が参照され、それらを説明するために具体的な表現が使用される。
【００１０】
［0024］本開示にしたがった冷却システム処理薬品もしくは他の処理薬品、粉末または顆粒を貯蔵するための化学添加剤パッケージ１０の一実施形態が図１に示されている。パッケージ１０は、円筒状のボトル１２と、ボトル１２の内部容積内につり下げられる容器１４と、容器１４を覆うようにボトル１２に結合されるキャップ１６と、を備えている。組み立てられると、パッケージ１０は、自動車におけるシステム性能を向上させるため、および、漏れを止めて防止するために、冷却液または他のシステムに添加される前に、薬品、粉末または顆粒を安全に貯蔵する。
【００１１】
［0025］図２に示唆されているように、添加剤混合物として組み合わされる前に、パッケージ１０は、多数の添加剤成分を分離した状態で保持する。例えば、ボトル１２は、ボトル１２の内部容積を形成する本体２２と、本体２２の内部容積内に延在する開口部２６を有するように形成された、本体２２に結合されたネック部２４と、を備えている。ボトル１２は、本体２２の内部容積内に第１の添加剤成分を保持してもよい。ボトル１２は、ネック部２４の開口部２６を介して満たされてもよい。第１の添加剤成分は、固体、液体、液中懸濁物、または、他の代替構成の形態の化学合成物または化学混合物であってもよい。ボトル１２は、さらに、キャップ１６をボトル１２に結合するためのネック部ネジ部２１と、ネック部２４を支持するとともにネック部２４を本体２２の径方向内側に位置決めするためのショルダ部２３と、を備えている。
【００１２】
［0026］図２に示唆されるように、容器１４は、第２の添加剤成分を保持するためのチューブ３２と、ボトル１２のネック部２４にチューブ３２を結合するためのハンガー３４と、を備えている。ハンガー３４は、チューブ３２がボトル１２の内部容積内で垂れ下がるようにチューブ３２を支持する。チューブ３２は、チューブ３２の内部容積内に延在する開口部３６を備えている。開口部３６によって、チューブ３２が満たされること、または、空にされることが可能になる。チューブ３２は、チューブ３２がボトル１２内で吊されているときであっても、第１の添加剤成分から分離されている第２の添加剤成分を保持する。第２の添加剤成分は、固体、液体、液中懸濁物、または、他の代替構成の形態の化学合成物または化学混合物であってもよい。
【００１３】
［0027］図２に示唆されるように、キャップ１６は、ボトル１２およびチューブ３２の開口部２６，３６を覆うように、ボトル１２のネック部２４に結合される。キャップ１６は、チューブ３２の内容物がボトル１２の内容物と混ざるのを阻止する。また、キャップ１６は、キャップ１６がボトル１２上に固定された状態で、チューブ３２およびボトル１２の両方の内容物がボトル１２の外部に移動するのを阻止する。図示される実施形態では、キャップ１６の外径は、ボトル１２の本体２２の外径と実質的に一致する。
【００１４】
［0028］図２に示唆されるように、キャップ１６は、第１および第２の添加剤成分とは分離されている第３の添加剤成分を保持するための区画１８と、ボトル１２のネック部２４にキャップ１６を結合するためのネジ付コネクタ５１と、区画１８の底部に付加されたスカート５２と、を備えている。スカート５２は、ネジ付コネクタ５１を取り囲んでいる。第３の添加剤成分は、固体、液体、液中懸濁物、または、他の代替構成の形態の化学合成物または化学混合物であってもよい。キャップ１６は、さらに、ボトル１２からキャップ１６を取り外すことを阻止するための子供用安全デバイスを備えていてもよい。例えば、回転防止装置が阻止壁に接触したときにキャップ１６の回転を阻止するために、回転防止装置がスカート５２に付加されてもよく、阻止壁がボトル１２のネック部２４上に位置していてもよい。ユーザは、阻止壁を越えて回転防止装置を移動させてキャップ１６の回転を許容するために、スカート５２を圧迫して、スカート５２を横方向に拡張させてもよい。
【００１５】
［0029］図２に示されるように、区画１８は、環状側壁４２と、環状側壁４１の一端に結合されて区画１８の内部容積を形成する底部壁４３と、を備えている。開口部４６が、区画１８の内部容積内まで延在している。押上式カバー４４が、一体ヒンジ９１によって環状側壁４１に結合されている。一体ヒンジ９１は、押上式カバー４４を区画１８に対して保持するとともに、押上式カバー４４が区画１８に対して回転することを可能にする。このようにして、押上式カバー４４は、区画１８の内部容積内への開口部４６を覆う閉位置と、開口部４６から離れた開位置と、の間を移動され得る。押上式カバー４４は、カバー壁４５とカバーコネクタ４７とを備えている。カバーコネクタ４７は、ユーザの選択によって、区画１８のカバー保持部４８と係合して押上式カバー４４を閉位置に保持する。代替実施形態では、押上式カバー４４に代えて、区画１８から完全に取り外すことができる取り外し可能なカバーが使用されてもよい。
【００１６】
［0030］図６および図７に示されるように、容器１４のハンガー３４は、チューブ３２に結合されたチューブホルダ３３と、チューブホルダ３３の底部に付加されるとともにチューブ３２から離間した環状フランジ３１と、チューブホルダ３３を貫通して形成されるとともにチューブ３２と環状クリップ３１との間に位置する複数の注ぎ口３５と、を備えている。図８に示されるように、ボトル１２のネック部２４は、さらに、開口部２６を形成する周縁部２７を備えている。また、ハンガー３４は、ネック部２４の周縁部２７に係合してチューブ３２がボトル１２内にさらに延在することを阻止するためのストッパ壁３９を備えている。
【００１７】
［0031］図８に示唆されるように、ボトル１２および容器１４は、同時に満たされてもよく、同時に空にされてもよい。例えば、容器１４がボトル１２に取り付けられるとともにキャップ１６が取り外された状態において、第１の添加剤成分は、注ぎ口３５を通り、ネック部２４の開口部２６を通って、ボトル１２の本体２２内に入り、一方、第２の添加剤成分は、開口部３６を通ってチューブ３２内に入る。第１および第２の添加剤成分がボトル１２および容器１４からそれぞれ空にされる場合には、その反対の流れとなる。
【００１８】
［0032］１つの例示的な実施形態では、図９および図１０に示唆されるように、パッケージ１０は、容器１４をボトル１２に結合するとともに、容器１４を覆うようにキャップ１６をボトル１２に結合することによって、組み立てられる。一実施形態では、ボトル１２は、チューブ３２をボトル１２内に挿入してボトル１２のネック部２４に容器１４を結合する前に、第１の添加剤成分で満たされてもよい。代替実施形態では、ボトル１２は、容器１４がボトル１２に結合された後に、第１の添加剤成分で満たされてもよい。
【００１９】
［0033］図９に示唆されるように、組み立て中において、容器１４は、ボトル１２のネック部２４に結合される。ハンガー３４の環状クリップ３１は、ネック部２４の内面と係合してボトルシールを生成する。ボトルシールによって、ボトル１２の内容物が環状クリップ３１を通ってボトル１２の外部に移動することが防止される。いくつかの実施形態では、ボトルシールは、プラグシールである。他の実施形態では、ハンガー３４のストッパ壁３９は、ネック部２４の周縁部２７と係合してシールを形成する。
【００２０】
［0034］図１０に示唆されるように、キャップ１６は、ネジ付コネクタ５１をネック部ネジ部２１と係合させることによって、ボトル１２のネック部２４に結合される。以下で詳述されるように、シールディスク６０が、キャップ１６と容器１４との間に位置決めされて、容器１４の内容物をボトル１２の内容物からシールするのを補助してもよい。しかしながら、シールディスク６０は必須ではないことに留意されるべきである。例えば、キャップ１６の底部壁４３は、容器１４およびボトル１２をシールするように機能してもよい。
【００２１】
［0035］キャップ１６をボトル１２に結合することによって、シールディスク６０は、ストッパ壁３９の上面に対して押されて、注ぎ口シールを形成する。注ぎ口シールによって、ボトル１２の内容物が注ぎ口３５を通ってボトル１２の外部に移動することが防止される。また、キャップ１６を接続することによって、シールディスク６０は、チューブ３２の周縁部３８に対して押されて、チューブシールを形成する。チューブシールによって、チューブ３２の内容物がボトル１２に入ること、または、ボトル１２の外部に移動することが防止される。したがって、ボトル１２の内部容積とチューブ３２の内部容積とは、キャップ１６がボトル１２に結合されているときに、流体的に互いに隔離される。また、キャップ１６の区画１８は、キャップ１６がボトル１２に結合された状態で、ボトル１２および容器１４から流体的に隔離される。
【００２２】
［0036］ユーザは、使用されている冷却液添加物に応じて、パッケージ１０の内容物を同時に、または、段階的に空にしてもよい。例えば、ユーザは、キャップ１６をボトル１２から取り外す前に、区画１８の内容物を空にしてもよい。次いで、ユーザは、キャップ１６を取り外して、ボトル１２および容器１４の内容物を空にしてもよい。代替的に、ユーザは、キャップ１６を取り外して、区画１８、ボトル１２および容器１４の内容物を同時に空にしてもよい。
【００２３】
［0037］他の実施形態では、図１１に示唆されるように、冷却液添加剤パッケージ２１０は、ボトル２１２と移行キャップ２１６と区画２１８とを備えている。ボトル２１２は、第１の添加剤成分を保持するように構成され、区画２１８は、第１の添加剤成分から分離されている第２の添加剤成分を保持するように構成される。移行キャップ２１６は、ボトル２１２に結合されて、ボトル２１２をシールするとともに区画２１８をボトル２１２に結合する。
【００２４】
［0038］他の実施形態では、図１２および図１３に示唆されるように、冷却液添加剤パッケージ３１０は、ボトル３１２と容器３１４とキャップ３１６とを備えている。ボトル３１２は、第１の添加剤成分を保持するように構成され、容器３１４は、第１の添加剤成分から分離されている第２の添加剤成分を保持するように構成される。キャップ３１６は、ボトル３１２に結合されて、ボトル３１２および容器３１４をシールする。チューブ３３２が、ボトル３１２のネック部３２４に結合されたハンガー３３４によって、ボトル３１２内に吊り下げられている。
【００２５】
［0039］ネック部３２４は、ショルダ部３２３によって、ボトル３１２の本体３２２に結合される。チューブ３３２は、チューブ３３２の内部容積内まで延在する開口部３３６を備えている。ハンガー３３４は、１つ以上の注ぎ口３３５を備えている。注ぎ口３３５は、チューブホルダ３３３を貫通して形成され、ネック部３２４の開口部３２６を通ってボトル３１２の内部容積内まで延在する。したがって、チューブ３３２およびボトル３１２は、同時に満たされてもよく、あるいは、同時に空にされてもよい。しかしながら、ボトル３１２およびチューブ３３２は、異なる時間および異なる順序で満たされてもよいことに留意されるべきである。キャップ１６は、キャップ１６と同様に、ボトル３１２とチューブ３１４との間にシールを形成し、その結果、チューブ３３２の内容物は、ボトル３１２の内容物から流体的に隔離される。
【００２６】
［0040］他の実施形態では、図１４に示唆されるように、冷却液添加剤パッケージ４１０は、ボトル４１２とキャップ４１６と区画４１８とを備えている。ボトル４１２は、第１の添加剤成分を保持するように構成され、区画４１８は、第１の添加剤成分から分離されている第２の添加剤成分を保持するように構成される。キャップ４１６は、ボトル４１２の一端に結合されて、ボトル４１２をシールする。区画４１８は、キャップ４１６と反対側の端部のところでボトル２１２に結合される。
【００２７】
［0041］他の実施形態では、図１５に示唆されるように、冷却液添加剤パッケージ５１０は、第１のボトル５１２と移行キャップ５１６と第２のボトル５６２とを備えている。図示される実施形態では、第１のボトル５１２および第２のボトル５６２は、実質的に同一の構造である。しかしながら、第１のボトル５１２は、第２のボトル５６２よりも大きくてもよいし、小さくてもよい。第１のボトル５１２は、第１の添加剤成分を保持するように構成され、第２のボトル５６２は、第１の添加剤成分から分離されている第２の添加剤成分を保持するように構成される。移行キャップ５１６は、第１のボトル５１２と第２のボトル５６２とに一緒に結合され、第１のボトル５１２および第２のボトル５６２をシールする。
【００２８】
［0042］上記の図面および説明において本開示が図示され説明されたが、これらは、例示であって、特徴を制限するものではないと捉えられるべきである。その例示的な実施形態が図示され説明されたのであって、本開示の趣旨内にある全ての変更および修正が保護されることが望まれていることが理解される。
【符号の説明】
【００２９】
１０，２１０，３１０，４１０，５１０…パッケージ
１２，２１２，３１２，４１２…ボトル
１４，３１４…容器
１６，３１６，４１６…キャップ
１８，２１８，４１８…区画
２１…ネック部ネジ部
２２，３２２…本体
２３，３２３…ショルダ部
２４，３２４…ネック部
２６，３２６…開口部
２７…周縁部
３１…環状クリップ
３２，３３２…チューブ
３３，３３３…チューブホルダ
３４，３３４…ハンガー
３５，３３５…注ぎ口
３６，３３６…開口部
３８…周縁部
３９…ストッパ壁
４２…環状側壁
４３…底部壁
４４…押上式カバー
４５…カバー壁
４６…開口部
４７…カバーコネクタ
４８…カバー保持部
５１…ネジ付コネクタ
５２…スカート
６０…シールディスク
９１…一体ヒンジ
２１６，５１６…移行キャップ
５１２…第１のボトル
５６２…第２のボトル
【図１】
2017514758.tif 000003
【図２】
2017514758.tif 000004
【図３】
2017514758.tif 000005
【図４】
2017514758.tif 000006
【図５】
2017514758.tif 000007
【図６】
2017514758.tif 000008
【図７】
2017514758.tif 000009
【図８】
2017514758.tif 000010
【図９】
2017514758.tif 000011
【図１０】
2017514758.tif 000012
【図１１】
2017514758.tif 000013
【図１２】
2017514758.tif 000014
【図１３】
2017514758.tif 000015
【図１４】
2017514758.tif 000016
【図１５】
2017514758.tif 000017
【国際調査報告】
2017514758.tif 000018
2017514758.tif 000019
2017514758.tif 000020